(57)【特許請求の範囲】
【請求項１】
蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している電子機器を操作することができるコントローラを備えた電子機器システムであって、
上記バスを介して接続されている映像音声出力装置は、上記コントローラからの赤外線によるコントロール信号を受信する手段と、該赤外線によるコントロール信号を受信する手段により、受信したコントロール信号に上記映像音声再生装置に蓄積されている映像音声コンテンツを選択する信号が含まれているときに、上記コントローラからの上記赤外線とは異なる無線によるコントロール信号により再生操作が指示された上記映像音声再生装置からの映像音声コンテンツを受信する準備をし、該映像音声再生装置からの映像音声コンテンツを受信して出力するコンテンツ出力手段とを備えたこと
を特徴とする電子機器システム。
【請求項２】
上記請求項１において、上記映像音声コンテンツを出力する映像音声出力装置は、複数の映像音声出力装置のうち一番最初にコントロール信号を受信した映像音声出力装置であること
を特徴とする電子機器システム。
【請求項３】
上記請求項１において、上記コントローラは、上記バスに接続されている電子機器を遠隔操作するリモコン又は携帯電話機又は情報機器であること
を特徴とする電子機器システム。
【請求項４】
上記請求項１において、上記バスは、ＩＥＥＥ１３９４規格に準拠したデジタルバスであることを特徴とする電子機器システム。
【請求項５】
蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している映像音声再生装置を操作することができるコントローラを備えた電子機器システムであって、
上記バスを介して接続されている映像音声出力装置は、音声を認識する音声認識手段と、
該音声認識手段により特定音声を認識した時に、上記コントローラにより再生操作が指示された映像音声再生装置からの映像音声コンテンツを出力するコンテンツ出力手段とを備えたこと
を特徴とする電子機器システム。
【請求項６】
上記請求項５において、上記映像音声コンテンツを出力する映像音声出力装置は、上記音声認識手段により特定された複数の映像音声出力装置のうち最も早く音声を認識した映像音声出力装置であること
を特徴とする電子機器システム。
【請求項７】
上記請求項５において、上記コントローラは、上記バスに接続されている電子機器を遠隔操作するリモコン又は携帯電話機又は情報機器であること
を特徴とする電子機器システム。
【請求項８】
上記請求項５において、上記バスは、ＩＥＥＥ１３９４規格に準拠したデジタルバスであることを特徴とする電子機器システム。
【請求項９】
蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している映像音声再生装置を操作することができるコントローラを備えた電子機器システムであって、
上記バスを介して接続されている映像音声出力装置は、振動を認識する振動認識手段と、
該振動認識手段により特定振動を認識した時に、上記コントローラにより再生操作が指示された映像音声再生装置からの映像音声コンテンツを出力するコンテンツ出力手段とを備えたこと
を特徴とする電子機器システム。
【請求項１０】
上記請求項９において、上記映像音声コンテンツを出力する映像音声出力装置は、上記振動認識手段により特定された複数の映像音声出力装置のうち振動を一番最初に認識した映像音声出力装置であること
を特徴とする電子機器システム。
【請求項１１】
上記請求項９において、上記コントローラは、上記バスに接続されている電子機器を遠隔操作するリモコン又は携帯電話機又は情報機器であること
を特徴とする電子機器システム。
【請求項１２】
上記請求項９において、上記バスは、ＩＥＥＥ１３９４規格に準拠したデジタルバスであること
を特徴とする電子機器システム。
【発明の詳細な説明】
【０００１】
【発明の属する技術分野】
本発明は電子機器システムに関し、詳しくは、デジタルバスに接続されている複数の電子機器のうち所定の映像音声出力装置を特定して所望の映像音声コンテンツを自動的に出力して視聴できるようにした電子機器システムに関する。
【０００２】
【従来の技術】
従来技術における電子機器において、例えば、同一部屋内のＴＶ（Ｔｅｌｅｖｉｓｉｏｎ受像器）とＶＣＲ（Ｖｉｄｅｏ  Ｃａｓｅｔｔｏ  Ｒｅｃｏｒｄｅｒ）等をケーブルで接続し、ＶＣＲのコンテンツをＴＶに出力していたものが周知である。例えば、デジタルデータバス（ＩＥＥＥ１３９４規格に準拠したバス；別名ｉ．Ｌｉｎｋケーブル）により接続されている複数の電子機器は、１つの部屋にとどまることなく別の部屋の電子機器とたやすく接続が可能で且つ違う部屋からの遠隔操作を行うことができる。
【０００３】
【発明が解決しようとする課題】
しかしながら、従来技術における、いわゆるｉ．Ｌｉｎｋケーブルで接続した電子機器において、例えば、各部屋にテレビジョン受像機が存在して違う部屋のＡＶ機器をリモートコントローラでコントロールして再生しようとした時、視聴者が目の前のテレビジョン受像機に出力するように視聴者が選択する必要があり、複数の電子機器が接続されているとその操作が複雑になるという問題がある。
【０００４】
従って、複数の電子機器がバスで接続されている電子機器システムにおいて、視聴者が所望の映像音声情報を選択した際に、視聴者が視聴できる範囲内の電子機器において自動的に選択した映像音声情報を出力することができるようにすることに解決しなければならない課題を有する。
【０００５】
【課題を解決するための手段】
上記課題を解決するために、本願発明に係る電子機器システムは、次の構成にすることである。
【０００６】
（１）蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している電子機器を操作することができるコントローラを備えた電子機器システムであって、上記バスを介して接続されている映像音声出力装置は、上記コントローラからの赤外線によるコントロール信号を受信する手段と、該赤外線によるコントロール信号を受信する手段により、受信したコントロール信号に上記映像音声再生装置に蓄積されている映像音声コンテンツを選択する信号が含まれているときに、上記コントローラからの上記赤外線とは異なる無線によるコントロール信号により再生操作が指示された上記映像音声再生装置からの映像音声コンテンツを受信する準備をし、該映像音声再生装置からの映像音声コンテンツを受信して出力するコンテンツ出力手段とを備えたことを特徴とする電子機器システム。
（２）上記（１）において、上記映像音声コンテンツを出力する映像音声出力装置は、複数の映像音声出力装置のうち一番最初にコントロール信号を受信した映像音声出力装置であることを特徴とする電子機器システム。
（３）上記（１）において、上記コントローラは、上記バスに接続されている電子機器を遠隔操作するリモコン又は携帯電話機又は情報機器であることを特徴とする電子機器システム。
（４）上記（１）において、上記バスは、ＩＥＥＥ１３９４規格に準拠したデジタルバスであることを特徴とする電子機器システム。
【０００７】
（５）蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している映像音声再生装置を操作することができるコントローラを備えた電子機器システムであって、上記バスを介して接続されている映像音声出力装置は、音声を認識する音声認識手段と、該音声認識手段により特定音声を認識した時に、上記コントローラにより再生操作が指示された映像音声再生装置からの映像音声コンテンツを出力するコンテンツ出力手段とを備えたことを特徴とする電子機器システム。
（６）上記（５）において、上記映像音声コンテンツを出力する映像音声出力装置は、上記音声認識手段により特定された複数の映像音声出力装置のうち最も早く音声を認識した映像音声出力装置であることを特徴とする電子機器システム。
（７）上記（５）において、上記コントローラは、上記バスに接続されている電子機器を遠隔操作するリモコン又は携帯電話機又は情報機器であることを特徴とする電子機器システム。
（８）上記（５）において、上記バスは、ＩＥＥＥ１３９４規格に準拠したデジタルバスであることを特徴とする電子機器システム。
【０００８】
（９）蓄積されている映像音声コンテンツ又は受信した映像音声コンテンツを再生することができる映像音声再生装置と所望の映像音声コンテンツを出力することができる映像音声出力装置とを少なくとも有する複数の電子機器がバスを介して接続されていると共に該バスを介して接続している映像音声再生装置を操作することができるコントローラを備えた電子機器システムであって、上記バスを介して接続されている映像音声出力装置は、振動を認識する振動認識手段と、該振動認識手段により特定振動を認識した時に、上記コントローラにより再生操作が指示された映像音声再生装置からの映像音声コンテンツを出力するコンテンツ出力手段とを備えたことを特徴とする電子機器システム。
（１０）上記（９）において、上記映像音声コンテンツを出力する映像音声出力装置は、上記振動認識手段により特定された複数の映像音声出力装置のうち振動を一番最初に認識した映像音声出力装置であることを特徴とする電子機器システム。
（１１）上記（９）において、上記コントローラは、上記バスに接続されている電子機器を遠隔操作するリモコン又は携帯電話機又は情報機器であることを特徴とする電子機器システム。
（１２）上記（９）において、上記バスは、ＩＥＥＥ１３９４規格に準拠したデジタルバスであることを特徴とする電子機器システム。
【０００９】
このように、バスを介して複数の電子機器が接続されている電子機器システムにおいて、電子機器に蓄積されている所望の映像音声コンテンツを異なった電子機器で自動的に視聴できるようにしたことによって、視聴者は所望のコンテンツを選ぶだけで映像音声コンテンツを特定の電子機器に限定することなく視聴する事が可能になる。
【００１０】
【発明の実施の形態】
次に、本発明に係る電子機器システムの種々の実施の形態について図面を参照して説明する。
【００１１】
第１の実施の形態の電子機器システムは、図１に示すように、映像音声コンテンツを再生すると共に赤外線通信手段を有する映像音声出力装置１０と、蓄積されている映像音声コンテンツ又は受信した映像音声コンテンツを再生するための映像音声再生装置２０と、この映像音声再生装置２０の操作指示を行うリモコン又は携帯電話機又は情報機器からなるコントローラ３０とから構成され、これら映像音声出力装置１０と映像音声再生装置２０はＩＥＥＥ１３９４規格に準拠したデジタルインターフェースを有するデジタルバス４０で接続されている。
【００１２】
映像音声出力装置１０は、デジタルバス４０に接続するためのデジタルインターフェース１１と、デジタルインターフェース１１を介して取り込んだ映像音声信号情報からなるコンテンツを出力するコンテンツ出力手段であるコンテンツ出力部１２と、デジタルインターフェース１１に接続したデジタルバス４０からのデータの送受信を制御する通信制御部１３と、コントローラ３０からの赤外線コントロール信号を受信して通信制御部１３に送る赤外線受信部１４とからなる。
【００１３】
映像音声再生装置２０は、デジタルバス４０と接続するためのデジタルインターフェース２１と、映像音声コンテンツ情報及び映像音声コンテンツを蓄積するコンテンツデータ蓄積部２２と、デジタルインターフェース２１を制御してデジタルバス４０から映像音声コンテンツ及び映像音声コンテンツ情報を取り込むコンテンツ制御部２３と、コントローラ３０からの操作指示を受けとる無線受信部７０とから構成されている。
【００１４】
コントローラ３０は、ユーザの再生操作等のインターフェースを司るユーザーインターフェース３１と、このユーザーインターフェース３１で生成されたコントロール信号に基づいて所定の無線コントロール信号を発生させる無線送信部３２Ａと、赤外線コントロール信号を発生させる赤外線送信部３２とから構成されている。このコントロール信号には、映像音声再生装置２０に蓄積されている映像音声コンテンツを選択する信号が含まれている。
【００１５】
このような構成からなる電子機器システムにおいて、先ず、ユーザ（視聴者）は、コントローラ３０を使って映像音声再生装置２０の映像音声コンテンツを再生しようとする。その動作はユーザーインターフェース３１から所定の操作信号を受け取り、無線送信部３２Ａと赤外線送信部３２に伝えられる。無線送信部３２Ａは無線でコントロール信号を送信し、赤外線送信部３２は赤外線でコントロール信号２を送信する。送信されたコントロール信号は、映像音声再生装置２０の無線受信部７０及び映像音声出力装置１０の赤外線受信部１４で受信される。その受信したコントロール信号２を通信制御部１３が感知すると、通信制御部１３はデジタルインターフェース１１に対してユーザが動かそうとしている映像音声再生装置２０のデジタルインターフェース２１とコネクションを張って、映像音声再生装置２０からの出力信号を受ける準備をする。そして、映像音声再生装置２０のコンテンツ制御部２３は無線受信部７０から受けたコントローラ３０からのコントロール信号１に従って映像音声コンテンツを再生し、デジタルインターフェース２１を使ってデジタルバス４０を介して送信する。送信された映像音声コンテンツデータは映像音声出力装置１０のデジタルインターフェース１１で再び受信され、そのデータはコンテンツ出力部１２に出力される。ここで、特定した映像音声出力装置１０が複数台有する時には、一番最初に特定した映像音声出力装置１０に所望の映像音声コンテンツを出力する。
【００１６】
このようにして、他の電子機器、実施例において映像音声再生装置２０に蓄積されている所望の映像音声コンテンツを、他の電子機器、実施例において映像音声出力装置１０に自動的に出力して視聴することができるのであり、これは、例えば、複数の部屋のそれぞれにデジタルバス４０で接続された電子機器が配置されている場合において、視聴する部屋の電子機器に存在しない映像音声コンテンツをリモコンの操作のみで視聴する部屋に存在する電子機器に出力することが可能になるのである。
【００１７】
次に、第２の実施の形態に係る電子機器システムについて、図面を参照して説明する。
【００１８】
第２の実施の形態の電子機器システムは、図２に示すように、映像音声コンテンツを出力するコンテンツ出力手段と音声を認識する音声認識手段とを有する映像音声出力装置１０Ａと、映像音声コンテンツを蓄積すると共にコントローラ５０からの操作指示により再生動作をする映像音声再生装置２０Ａと、映像音声再生装置２０Ａの操作指示をするリモコン、携帯電話機、情報機器からなりコントロールするコントローラ５０とから構成されている。この映像音声再生装置１０Ａと映像音声出力装置２０ＡはＩＥＥＥ１３９４規格に準拠したデジタルインターフェースを有するデジタルバス４０で接続されており、このデジタルバス４０には他の電子機器が接続できる構成となっている。
【００１９】
映像音声出力装置１０Ａは、デジタルバス４０と接続するためのデジタルインターフェース１１と、デジタルインターフェース１１を介して取り込んだ映像音声信号情報からなる映像音声コンテンツを出力するコンテンツ出力手段であるコンテンツ出力部１２と、デジタルインターフェース１１に接続されているデジタルバス４０からのデータの送受信を制御する通信制御部１３と、音声を認識する音声認識手段である音声認識部６０とから構成されている。
【００２０】
映像音声再生装置２０Ａは、デジタルバス４０と接続するためのデジタルインターフェース２１と、映像音声情報の映像音声コンテンツを蓄積するコンテンツデータ蓄積部２２と、デジタルインターフェース２１を制御してデジタルバス４０に映像音声コンテンツ及び映像音声コンテンツ情報を送出（又は取り込む）するコンテンツ制御部２３と、コントローラ５０からの操作指示を受け取る無線受信部７０とから構成されている。
【００２１】
コントローラ５０は、ユーザの再生操作等のインターフェースを司るユーザーインターフェース３１と、このユーザーインターフェース３１で生成されたコントロール信号に基づいて所定の無線コントロール信号を発生させる無線送信部３２Ａとから構成されている。
【００２２】
このような構成からなる電子機器システムにおいて、先ず、ユーザは所望の映像音声コンテンツを再生したい時に、「再生！」等の音声を発する。その特定の音声を映像音声出力装置１０Ａの音声認識部６０は認識し、デジタルインターフェース１１を通して、映像音声再生装置２０Ａとコネクションを張り、映像音声再生装置２０Ａからの出力を受ける準備をする。そして、ユーザは音声を発すると共に映像音声再生装置２０Ａに対して、コントローラ５０の無線送信部３２Ａを用いて再生コントロール信号を送る。この音声の発生とコントロール信号の送出は、どちらが先でも良く、視聴する環境に応じてユーザが決定する。このコントロール信号を映像音声再生装置２０Ａの無線受信部７０が受信し、コンテンツ制御部２３はそのコントロール信号に従って映像音声コンテンツを再生し、デジタルインターフェース２１を使ってデジアタルバス４０を介して送信する。送信された映像音声コンテンツデータは映像音声出力装置１０Ａのデジタルインターフェース１１で再び受信され、そのデータは通信制御部１３によりコンテンツ出力部１２に出力される。ここで、特定した映像音声出力装置１０が複数台である時には、一番最初に音声を認識した映像音声出力装置１０に所望の映像音声コンテンツを出力し、この制御はデジタルバス４０を介して行う。
【００２３】
このようにして、音声の発生及び無線による所望の映像音声コンテンツの選択を行うようにすると、無線の傍受できる範囲内であれば、映像音声コンテンツが蓄積されている電子機器から所望の映像音声コンテンツを取り出して、異なった位置又は領域に存在する電子機器で再生出力することを自動的に行うことが可能になる。
【００２４】
次に、第３の実施の形態に係る電子機器システムにおいて、図面を参照して説明する。
【００２５】
第３の実施の形態の電子機器システムは、図３に示すように、映像音声コンテンツを出力するコンテンツ出力手段と振動を認識する振動認識手段とを有する映像音声出力装置１０Ｂと、映像音声コンテンツを蓄積していると共にコントローラ５０の操作指示により再生動作をする映像音声再生装置２０Ａと、無線により映像音声再生装置２０Ａを操作指示するコントローラ５０とから構成されている。この映像音声出力装置１０Ｂと映像音声再生装置２０ＡはＩＥＥＥ１３９４規格に準拠したデジタルバス４０で接続されており、このデジタルバス４０には他の電子機器を接続することができる。
【００２６】
映像音声出力装置１０Ｂは、デジタルバス４０と接続するためのデジタルインターフェース１１と、デジタルインターフェース１１を介して取り込んだ映像音声信号情報からなる映像音声コンテンツを出力するコンテンツ出力手段であるコンテンツ出力部１２と、デジタルインターフェース１１に接続されているデジタルバス４０からのデータの送受信を制御する通信制御部１３と、振動を認識する振動認識手段である振動認識部８０とから構成されている。
【００２７】
映像音声再生装置２０Ａは、デジタルバス４０と接続するためのデジタルインターフェース２１と、映像音声情報の映像音声コンテンツを蓄積するコンテンツデータ蓄積部２２と、デジタルインターフェース２１を制御してデジタルバス４０から映像音声コンテンツ及びコンテンツ情報を取り込むコンテンツ制御部２３と、コントローラ５０からの操作指示を受信する無線受信部７０とから構成されている。
【００２８】
コントローラ５０は、ユーザの再生操作等のインターフェースを司るユーザーインターフェース３１と、このユーザーインターフェース３１で生成されたコントロール信号に基づいて所定の無線コントロール信号を発生させる無線送信部３２Ａとから構成されている。
【００２９】
このような構成からなる振動を認識する振動認識手段を備えた電子機器システムにおいては、先ず、ユーザは所望の映像音声コンテンツを再生したいとき、何らかの振動を発する。その振動を映像音声出力装置１０Ｂの振動認識部８０で認識し、デジタルインターフェース１１を通じて、映像音声再生装置２０Ａとコネクションを張り、映像音声再生装置２０Ａからの出力を受ける準備をする。ユーザは振動を発すると同時に、映像音声再生装置２０Ａに対して、コントローラ５０の無線送信部３２Ａを用いて再生コントロール信号を送る。この再生コントロール信号を映像音声再生装置２０Ａの無線受信部７０が受信すると、コンテンツ制御部２３はコンテンツデータ蓄積部２２に蓄積されている映像音声コンテンツを選択する信号を含むコントロール信号に従って映像音声コンテンツを再生し、デジタルインターフェース２１を使って送信する。送信された映像音声コンテンツデータは映像音声出力装置１０Ｂのデジタルインターフェース１１で再び受信され、そのデータは通信制御部１３によりコンテンツ出力部１２に出力される。ここで、特定した映像音声出力装置１０Ｂが複数台である時には、一番最初に振動を認識した映像音声出力装置１０Ｂに所望の映像音声コンテンツを出力し、この制御はデジタルバス４０を介して行う。
【００３０】
このようにして、振動の発生及び無線による所望の映像音声コンテンツの選択を行うようにすると、無線の傍受できる範囲内であれば、映像音声コンテンツが蓄積されている電子機器から所望の映像音声コンテンツを取り出して、異なった位置に存在する電子機器で再生出力することを自動的に行うことが可能になる。
【００３１】
尚、上述した第１〜第３の実施の形態で説明したリモコンによる映像音声コンテンツを出力する電子機器と映像音声コンテンツを再生する電子機器の選択、音声及び振動と再生する電子機器の選択とは、これら実施例に限定されることなく、例えば、これらの組み合わせでも良く、又は焦電センサを用いて自動的に映像音声コンテンツを出力する電子機器を特定するようにしても良く、又、接触や温度センサを利用して映像音声コンテンツを出力する電子機器を特定するようにしてもよいことは勿論のことである。
【００３２】
【発明の効果】
以上説明したように、視聴者のいる場所を認識、特定音声の認識、振動を認識することによってその認識したもっとも近い電子機器を駆動させて選択したコンテンツを視聴できるようにしたことによって、バスを介して複雑に接続されている電子機器であっても再生又は出力操作をするだけで所望の場所において自動的に選択したコンテンツを視聴することができるという効果がある。
【図面の簡単な説明】
【図１】本発明に係る電子機器においてデジタルバスに接続されている電子機器とコントローラとの関係を示した説明図である。
【図２】本発明に係る電子機器においてデジタルバスに接続されている電子機器とコントローラとの関係を示した説明図である。
【図３】本発明に係る電子機器においてデジタルバスに接続されている電子機器とコントローラとの関係を示した説明図である。
【符号の説明】
１０；映像音声出力装置、１０Ａ；映像音声出力装置、１１；デジタルインターフェース、１２；コンテンツ出力部、１３；通信制御部、１４；赤外線受信部、２０；映像音声再生装置、２０Ａ；映像音声再生装置、２１；デジタルインターフェース、２２；コンテンツデータ蓄積部、２３；コンテンツ制御部、３０；コントローラ、３１；ユーザーインターフェース、３２；赤外線送信部、３２Ａ；無線送信部、４０；デジタルバス、５０；コントローラ、６０；音声認識部、７０；無線受信部、８０；振動認識部
【図１】
0004660877.tif 000002
【図２】
0004660877.tif 000003
【図３】
0004660877.tif 000004